(57)【要約】      （修正有）【課題】就業形態をリモートワークで実施する際の生活空間における仕事モードへの心理的切り替えと、業務環境の標準化及び、癒しを求める心理を満足させる小部屋として使用できる天蓋付きベッドを提供する。【解決手段】天板１、床１１、支持柱２、支持壁９、及び出入口４によって構成されてなる枠体で外部空間と画成し、該枠体の周囲をカーテンで覆い天蓋を形成すると共に、脚部材を備える複数のマット体の隣接辺がラチェット機構を介して複数の傾動位置に停止でき、かつ折り畳み自在に連結してなるベッドを、該枠体内に導く載置ガイドを用いて移動可能に備えてなる天蓋付きベッドであって、該マット体各部の起立かつ折り畳み操作で該ベッドを椅子に変形させることにより該床面の空間を拡大し、小部屋として使用できる。【選択図】図１
0003232659.tif 000002
【実用新案登録請求の範囲】
【請求項１】
天板、床、支持柱、支持壁、及び出入口によって構成されてなる枠体で外部空間と画成し、該枠体の周囲をカーテンで覆い天蓋を形成すると共に、該枠体内にベッドを椅子に変形する手段を装置したベッドを備えて形成されてなる天蓋付きベッドであって、該ベッドを椅子に変形させることにより該床面の空間を拡大し、小部屋として使用できることを特徴とする天蓋付きベッド。
【請求項２】
前記した天蓋付きベッドの支持柱により形設された少なくとも一つの出入口を有し、床面積が１５ｍ２以下であって、前記した天蓋付きベッドの天井、支持壁内側、支持柱の一部又は全部にディスプレーとプロジェクタースクリーンの少なくともいずれかを設置することを特徴とする請求項１記載の天蓋付きベッド。
【考案の詳細な説明】
【技術分野】
【０００１】本考案は、天蓋付きベッドに関し、特に画定領域での多様な使用方法に関する。
【背景技術】
【０００２】  中世ヨーロッパの上流階級層は大広間が生活の場であり、寝室と他の部屋の区別がない中、寝室としての境界を設定し、部屋の中にもうひとつの部屋をつくる発想で天蓋付きベッドは使用され、又、天蓋付きベッドの中で政務を行う等、用途は就寝の場所に限定されなかった。
【先行技術文献】
【特許文献】
【０００３】
【特許文献１】特開２００７−２１５５６６号公報
【考案の概要】
【考案が解決しようとする課題】
【０００４】  現代において、天蓋付きベッドは主として室内の装飾家具として、装飾性が重視され、ベッドとして広く一般には普及されていない。そこで、本考案は、リモートワークにおける業務環境の標準化と、さらに、癒しを求める心理を満足させる小部屋として使用できる天蓋付きベッドを提供することを課題とする。
【課題を解決するための手段】
【０００５】  上記課題を解決するために、請求項１に係る考案は、天板、床、支持柱、支持壁、及び出入口によって構成されてなる枠体で外部空間と画成し、該枠体の周囲をカーテンで覆い天蓋を形成すると共に、該枠体内にベッドを椅子に変形する手段を装置したベッドを備えて天蓋付きベッドを形成し、さらに、該ベッドを椅子に変形させてつくったスペースに机やパソコンを置き、リモートワークにおいては、該天蓋付きベッドの周囲をカーテンで覆い、背景に統一性を持たせることで標準的な業務環境をつくることを要旨とする。【０００６】  請求項２に係る考案は、前記した天蓋付きベッドに出入口を形設すると共に、癒しを求める心理を満足させるために、天井、支持柱、支持壁内側にディスプレーとプロジェクタースクリーンの少なくともいずれかを設置することを要旨とする。
【考案の効果】
【０００７】  請求項１に係る考案で、該天蓋付きベッドを室内で画成することにより、画定領域内でリモートワークが行われ、生活空間における仕事モードへの切り替えがなされる。さらに、周囲をカーテンで覆い背景に統一性を持たせることで、業務環境の視覚的標準化を図り、社員に平等な業務環境を与えることで、企業としての責任を果たすことができる。【０００８】  請求項２に係る考案で、該天蓋付きベッドに出入口を形設して小部屋の要素を具備すると共に、天井、支持柱、支持壁内側にディスプレーとプロジェクタースクリーンの少なくともいずれかを設置して、ヒーリング映像等を鑑賞することで、仕事と癒しの両立が可能となる。【０００９】  本考案の天蓋付きベッドはカーテンの選択で印象を男性的にも女性的にも、又、エレガントなインテリアにもアレンジできる。又、外側を本棚や飾り棚で覆えば、秘密基地感覚が味わえ、人間心理の本能的に眺望と隠れ場の両方を求める性質において、プロジェクタースクリーンで眺望を、秘密基地に隠れ場を求め、すなわち両方を欲する人間心理を満足させることができる。【００１０】  本考案の天蓋付きベッドによる防災面の効果は、地震時、特に地滑り、土砂災害のリスクが高い地域において、該天蓋付きベッドの支持壁を嵩上げすれば、就寝時に飛来物や転倒物の直撃から身を守ることができ、土砂等が屋内に侵入しても、該天蓋付きベッドは、圧力に応動して圧壊を免れる可能性がある。又、ベッド下に収納ケースを置けば防災グッズの保管もできるので、防災ベッドとしても活用が可能である。
【図面の簡単な説明】
【００１１】
【図１】本考案のＡは平面図、Ｂはベッドを床に載置した断面図である。
【図２】本考案のＣはベッド状態、Ｄは椅子への変形を示す図である。
【図３】本考案のＥは正面図、Ｆは左側面図を示す図である。
【考案を実施するための形態】
【００１２】  本考案の実施形態を図面に基づいて説明する。図１のＡ、は本考案の平面図で、床面にベッドが載置してある。該ベッドは多段階に回動（起倒）自在に設けられた背もたれ部８、座部７、折り畳み可能な足掛け部６、で連結して構成されているが、載置するベッドの構造、変形方法は本実施例に限定しない。又、後述の各寸法も勿論これら寸法に限定されるものではない。
【００１３】  該枠体の構成は、床から天井まで立設した５本の支持柱２、と支持柱を支持する支持壁９、で天板を支持し、該天板の庇に設けられたカーテンと合わせて該天蓋付きベッドの天蓋部分を形成する。床は短手方向１５０ｃｍ、長手方向２００ｃｍで、本実施例のベッドの寸法が短手方向１３０ｃｍ、長手方向１８５ｃｍであるので、該ベッドはフットボード側支持壁近傍まで延在する。
【００１４】  図１のＢ、は該ベッドを載置した断面図である。床１１、の床面にベッド支持脚の案内突条１０、が床面長手方向両端に設けられている。又、該案内突条の斜面に滑化用金属パネルを張ってもよい。ベッドの載置位置ガイドの実施形態は本考案の実施形態に何ら限定されない。
【００１５】  図２のＣ、とＤ、は該ベッドのベッド状態と、ベッドから椅子への変形を示す図である。該ベッドの変形は、足掛け部６、を上下回動させて座部７、に折り畳み、椅子の座面を形成する。この時、足掛け部６、の支持脚はアームレストになる。最後に背もたれ部８、を立起させて椅子を形成する。尚、座部７、の底面後部にストッパー付きキャスターが装着されており、該椅子は座部７、の底面前部を持ち上げて簡単に移動が可能となる。
【００１６】  図３のＥ、は本考案の椅子状態の実施例を示す正面図である。出入口４、は２本の支持柱２、で形設されている。立起した状態の背もたれ部８、の床面から頂部の高さは約９１ｃｍである。座部７、の前周部からフットボード側支持壁までの距離が約１０７ｃｍであるので、椅子をのぞいて使用できる床面は、本実施例で、幅約１５０ｃｍ、長さ約１０７ｃｍとなる。天井に照明器具１２、が吊設してあるが、本実施形態に何ら限定されるものではない。又、カーテンの選択は薄い透明感のある生地と遮光カーテンの併用が好ましい。
【００１７】  図３のＦ、は本考案の左側面図を示す。本実施例では、プロジェクタースクリーン５、がフットボード側天井に吊設してある。ディスプレーは、フットボード側支持柱に壁掛けテレビ金具等によって跨設する方法があるが、その実施形態に何ら限定されるものではない。
【符号の説明】
【００１８】１、天板
２、支持柱
３、カーテンレール
４、出入口
５、プロジェクタースクリーン
６、足掛け部
７、座部
８、背もたれ部
９、支持壁
１０、案内突条
１１、床
１２、照明器具
Ａ、平面図
Ｂ、ベッド載置状態の断面図
Ｃ、ベッド状態
Ｄ、ベッドから椅子への変形を示す図
Ｅ、正面図
Ｆ、左側面図
【図１】
0003232659.tif 000003
【図２】
0003232659.tif 000004
【図３】
0003232659.tif 000005
【手続補正書】
【提出日】令和3年3月1日(2021.3.1)
【手続補正１】
【補正対象書類名】実用新案登録請求の範囲
【補正対象項目名】請求項１
【補正方法】変更
【補正の内容】
【請求項１】
天板、床、支持柱、支持壁、及び出入口によって構成されてなる枠体で外部空間と画成し、該枠体の周囲をカーテンで覆い天蓋を形成すると共に、脚部材を備える複数のマット体の隣接辺がラチェット機構を介して複数の傾動位置に停止でき、かつ折り畳み自在に連結してなるベッドを、該枠体内に導く載置ガイドを用いて移動可能に備えてなる天蓋付きベッドであって、該マット体各部の起立かつ折り畳み操作で該ベッドを椅子に変形させることにより該床面の空間を拡大し、小部屋として使用できることを特徴とする天蓋付きベッド。